(57)【要約】 【課題】護岸上を流れる流水等による護岸背面の土砂が吸い出しを受ける危険性を少なくするとともに、植物を育成し繁茂させるのに適した大きな目地部を確保することができて自然な景観を創出することが可能なコンクリートブロックによる護岸構築工法を提供する。【解決手段】河川等の法面Ｇ上に複数のコンクリートブロック１を敷設して形成されるコンクリートブロックによる護岸構築工法において、相互に対峙するコンクリートブロック１，１間の目地部６の下部に多孔質繊維７を配置し、この多孔質繊維７の上面からコンクリート８を流し込み、コンクリート８のトロが多孔質繊維７内に流下して該コンクリート８が固化することにより多孔質状のコンクリート８が形成され、該多孔質状のコンクリート８により各コンクリートブロック１，１間の目地部６が閉塞されるようにした。【選択図】図８
2010189969.tif 000002
【特許請求の範囲】
【請求項１】
河川等の法面上に複数のコンクリートブロックを敷設して形成されるコンクリートブロックによる護岸構築工法において、
相互に対峙するコンクリートブロック間の目地部の下部に多孔質繊維を配置し、かつ該多孔質繊維の上面からコンクリートを流し込み、該コンクリートのトロが該多孔質繊維内に流水して該コンクリートが固化することにより多孔質状のコンクリートが形成され、該多孔質状のコンクリートにより各コンクリートブロック間の目地部が閉塞されるようにしたことを特徴とするコンクリートブロックによる護岸構築工法。
【請求項２】
上記コンクリートブロックの上表面部には、該コンクリートブロックと一体的に複数の自然石が固設されていることを特徴とする請求項１記載のコンクリートブロックによる護岸構築工法。
【請求項３】
上記コンクリートブロックには、その上表面から下面にかけて貫通した植生孔が少なくとも１個形成され、複数の前記コンクリートブロックの敷設後に前記植生孔に現地採取の土砂を含む充填材を詰め込んだことを特徴とする請求項１又は２記載のコンクリートブロックによる護岸構築工法。
【発明の詳細な説明】
【技術分野】
【０００１】
本発明は、コンクリートブロックによる護岸構築工法に関するものであり、特に、相互に対峙するコンクリートブロック間の目地部において植物を育成し繁茂させるのに適したコンクリートブロックによる護岸構築工法に関するものである。
【背景技術】
【０００２】
従来、河川や海岸等における護岸の構築工法として、法面上に複数のコンクリートブロックを面状に規則正しく敷き並べて護岸を形成する工法が、例えば特許文献１等で知られている。該特許文献１で知られる護岸の構築工法では、法面上に複数のコンクリートブロックを敷き並べる際、相互に対峙するコンクリートブロック間の目地部（隙間または開き幅ともいう）ができるだけ狭くなるようにして密に敷き並べた構造が採られている。これは、目地部の開き幅が大きくなると、該護岸上を流れる流水等により該護岸背面の土砂が吸い出しを受ける危険性が強まるのを防止するためである。
【先行技術文献】
【特許文献】
【０００３】
【特許文献１】特許第３６０５３９７号公報
【発明の概要】
【発明が解決しようとする課題】
【０００４】
しかしながら、法面上に複数のコンクリートブロックを、相互に対峙するコンクリートブロック間の目地部ができるだけ狭くなるように密に敷き並べた構造では、該護岸上を流れる流水等により該護岸背面の土砂が吸い出しを受ける危険性は弱くなるが、植物を育成し繁茂させるのに適した目地部が少なくなり、植物を繁茂させるのには好ましくなかった。
【０００５】
そこで、護岸上を流れる流水等による該護岸背面の土砂が吸い出しを受ける危険性を少なくするとともに、植物を育成し繁茂させるのに適した大きな目地部を確保することができて自然な景観を創出することが可能なコンクリートブロックによる護岸構築工法を提供するために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、河川等の法面上に複数のコンクリートブロックを敷設して形成されるコンクリートブロックによる護岸構築工法において、相互に対峙するコンクリートブロック間の目地部の下部に多孔質繊維を配置し、かつ該多孔質繊維の上面からコンクリートを流し込み、該コンクリートのトロが該多孔質繊維内に流下して該コンクリートが固化することにより多孔質状のコンクリートが形成され、該多孔質状のコンクリートにより各コンクリートブロック間の目地部が閉塞されるようにしたコンクリートブロックによる護岸構築工法を提供する。
【０００７】
この構成によれば、目地部の下部に配置された多孔質繊維の上面よりコンクリートを流し込むと、該コンクリート内に含まれている粘液状のトロ（水、セメント、モルタル、小砂等を含む）が多孔質繊維内に流下することにより、該多孔質繊維の上側で固化されたコンクリート内には主として骨材だけが残り、該コンクリートが蜂の巣状の空洞を有して多孔質化され、同時に各コンクリートブロック間の目地部を閉塞する。また、この多孔質化されたコンクリートは、日が経つうちに空洞部分に土砂が入り込み、植物等の育成個所となる。
【０００８】
請求項２記載の発明は、請求項１記載の発明において、上記コンクリートブロックの上表面部には、該コンクリートブロックと一体的に複数の自然石が固設されているコンクリートブロックによる護岸構築工法を提供する。
【０００９】
この構成によれば、コンクリートブロックの上表面部に現地河川等で採取された複数の自然石を固設したことで自然石護岸が構築される。また、構築された護岸表面の耐磨耗性、即ち耐久性が向上する。
【００１０】
請求項３記載の発明は、請求項１又は２記載の発明において、上記コンクリートブロックには、その上表面から下面にかけて貫通した植生孔が少なくとも１個形成され、複数の前記コンクリートブロックの敷設後に前記植生孔に現地採取の土砂を含む充填材を詰め込んだコンクリートブロックによる護岸構築工法を提供する。
【００１１】
この構成によれば、コンクリートブロックの敷設後に、各植生孔に構築現場で採取された土砂等が詰め込まれることで、構築された護岸上に通水性に富んだ多数の植生部が形成される。該植生部は植物等の好適な育成個所となる。
【発明の効果】
【００１２】
請求項１記載の発明は、目地部内を塞ぎ、かつ隣り合うコンクリートブロックと一体化された多孔質のコンクリートにより法面が保護されるので、護岸全体の強度が増加し、ブロック背面の土砂が吸い出しを受けるのを確実に防ぐことができる。また、護岸全体の強度が増すことにより、目地部の間隔を大きくすることも可能になる。そして、該目地部における多孔質化されたコンクリートには土砂が入り込み、この土砂の上に植物の種子等が飛来して定着するので、植物が育成されて繁茂し自然な景観の創出が期待できるという利点がある。
【００１３】
請求項２記載の発明は、構築された護岸の耐久性及び強度が向上してブロック背面の土砂が吸い出しを受けるのを一層確実に防ぐことができる。また、自然石護岸が構築されて、この点において自然な景観の創出が期待できるという利点がある。
【００１４】
請求項３記載の発明は、護岸上における通水性に富んだ多数の植生部で植物が育成されることで、一層の自然な景観の創出が期待できるという利点がある。
【図面の簡単な説明】
【００１５】
図は本発明の実施例に係るコンクリートブロックによる護岸構築工法を示すものである。
【図１】護岸構築工法で使用するコンクリートブロックの平面図。
【図２】図１の正面図。
【図３】図１の側面図。
【図４】敷設する護岸の端部に使用するコンクリートブロックの構造例を示す平面図。
【図５】図４の正面図。
【図６】構築された護岸の縦断面図。
【図７】図６の平面図。
【図８】図７中のＸ−Ｘ線拡大縦断面図。
【発明を実施するための形態】
【００１６】
本発明は、護岸上を流れる流水等による護岸背面の土砂が吸い出しを受ける危険性を少なくするとともに、植物を育成し繁茂させるのに適した大きな目地部を確保することができて自然な景観を創出することが可能なコンクリートブロックによる護岸構築工法を提供
するという目的を達成するために、河川等の法面上に複数のコンクリートブロックを敷設して形成されるコンクリートブロックによる護岸構築工法において、相互に対峙するコンクリートブロック間の目地部の下部に多孔質繊維を配置し、かつ該多孔質繊維の上面からコンクリートを流し込み、該コンクリートのトロが該多孔質繊維内に流下して該コンクリートが固化することにより多孔質状のコンクリートが形成され、而して該多孔質状のコンクリートにより各コンクリートブロック間の目地部が閉塞されるようにして実現した。
【実施例１】
【００１７】
以下、本発明の好適な実施例を図１乃至図８を参照して説明する。まず、本実施例に係る護岸構築工法で使用するコンクリートブロックの構造を説明する。なお、本発明の護岸構築工法で使用するコンクリートブロックは、必ずしもこの構造に限定されるものではない。
【００１８】
コンクリートブロック１は、図１の平面図に示すように、対向する一対の側壁１ａ，１ａの中間部に内側へ向かう凹部１ｃがそれぞれ形成され、他方の一対の側壁１ｂ，１ｂの中間部には外方へ向かう凸部１ｄがそれぞれ形成されている。各凹部１ｃ，１ｃと各凸部１ｄ，１ｄとは、平面視で、ほぼ同一形状に形成されている。これらの凹部１ｃ及び凸部１ｄの各側面には、連結鉄筋２が外側に突出した状態で設置されている。
【００１９】
また、コンクリートブロック１における下面１ｅの四隅には、図２及び図３に示すように、下方に向けて適宜量突出した下面凸部１ｆがそれぞれ形成されている。これらの下面凸部１ｆは、平面視で方形状に形成されている（図１中の点線部分）。
【００２０】
さらに、コンクリートブロック１には、図１に示すように、中心Ｃから左右に適宜量離間した対称位置に、上表面から下面１ｅにかけて貫通した植生孔３，３がそれぞれ形成されている。該植生孔３，３内には、両植生孔３，３を左右に貫通している吊り込み鉄筋４が設置されている。
【００２１】
また、コンクリートブロック１の上表面部には、多数の自然石Ｓ，Ｓ…が該コンクリートブロック１に一体的に固設されている。自然石Ｓ，Ｓ…は、構築現場において採取され、かつ選択された大きさのものが用いられている。コンクリートブロック１の上表面部に多数の自然石Ｓ，Ｓ…を一体的に固設することで自然石護岸が構築されるとともに護岸表面の耐磨耗性、即ち耐久性が向上する。
【００２２】
コンクリートブロック１は、図１乃至図３に示した凸部１ｄを両側に設けてなる形状を有したコンクリートブロック以外にも、例えば図４及び図５に示すように、端部に敷設する際に使用するために片側だけに凸部１ｄを設けてなる形状を有したコンクリートブロック等が用意されている。そして、これらを組み合わせることによって所定の形状を有した護岸を構築することができるようになっている。
【００２３】
次に、上述のような構造のコンクリートブロックによる護岸構築工法を図６及び図７を用いて説明する。護岸５は、複数のコンクリートブロック１，１…を、河川や海岸等の法面Ｇ上に順次面一に敷設して該法面Ｇを覆うことにより構築される。また、その構築時、必要に応じて植生孔３，３内の吊り込み鉄筋４に図示しないワイヤーを掛けると該コンクリートブロック１を吊して所定の位置に移動させることができる。
【００２４】
さらに、隣接するコンクリートブロック１，１同士は、図７に示すように、一方のコンクリートブロック１の凹部１ｃ内に他方のコンクリートブロック１の凸部１ｄを食い込ませて並設されるとともに、各コンクリートブロック１，１…同士の連結鉄筋２，２…間が図示しない連結金具でそれぞれ連結されて互いの相対移動が拘束される。また、各コンク
リートブロック１，１…の敷設後、各植生孔３，３には該構築現場において採取される土砂等が詰め込まれて通水性に富んだ植生部が形成される。
【００２５】
土砂等が詰め込まれた植生孔３，３には植物の種子等が飛来して定着し、後日、植物が繁茂して護岸５の美観を良くするとともに自然な景観が創出される。このような植生孔３は、コンクリートブロック１の適宜の部位に少なくとも１個形成されていればよい。
【００２６】
また、対峙するコンクリートブロック１，１間の目地部６は、図８に示すような構造にして隙間が塞がれる。同図に示す構造は法面Ｇ上に多孔質繊維７を配置し、その後、該多孔質繊維７上にコンクリート８を打設して該コンクリート８で形成されるコンクリート層８Ａと多孔質繊維７で作られる多孔質繊維層７Ａとで該目地部６を閉塞する二層構造にした構築工法が採られている。
【００２７】
このように、多孔質繊維７の上からコンクリート８を打設すると、該コンクリート８が固化する前に、該コンクリート８内に含まれている粘液状のトロ（水、セメント、モルタル、小砂等を含む）が多孔質繊維層７Ａを形成する多孔質繊維７内を流下し、該多孔質繊維７の上側に打設されている該コンクリート８内に主として骨材８ａだけが残り、該コンクリート８が骨材８ａにより蜂の巣状の空洞を有して多孔質化される。この多孔質化されたコンクリート８は、年月が経つうちに土砂が空洞部分に入り込み、この土砂に植物の種子等が飛来して定着し、かつ植物の育成が行われて繁茂する。
【００２８】
なお、前記多孔質繊維７としては、例えば糸状の繊維材、金属性ワイヤーを複雑に絡めて丸め、内部に空洞部分を設けて多孔質状にしたもの、あるいは網状に作られた部材を丸めて内部に空洞部を設けて多孔質状にしたもの等であるが、コンクリート８内に含まれている粘液状のトロが流れ込むことができるような空洞部を有するものであれば、これ以外の構造であってもよい。
【００２９】
ここで、対峙するコンクリートブロック１，１間の目地部６に、単に土砂だけを詰めた場合では、護岸上を流れる流水が目地部６に詰められている土砂及び該護岸背面の土砂が吸い出されて流出する虞があるが、このように多孔質化されたコンクリート層８Ａ及び多孔質繊維層７Ａを設けると土砂が吸い出されて流出することがなくなる。しかも、コンクリート８上に土砂が堆積して植物をより一層育成して繁茂させることができる。また、護岸の強度を増すことにより、目地部６の幅を大きくすることもできる。
【００３０】
したがって、本実施例の護岸構築工法によれば、目地部６内をコンクリート層８Ａ及び多孔質繊維層７Ａで閉塞し、かつ該コンクリート層８Ａ及び多孔質繊維層７Ａが隣り合うコンクリートブロック１，１と一体化されるので、護岸強度を増大させてブロック背面の土砂が吸い出しを受けるのを確実に防ぐことができる。また、強度が増大することにより、目地部６の間隔を大きくすることが可能になる。そして、該目地部６における多孔質化されたコンクリート８には土砂が入り込み、この土砂の上に植物の種子等が飛来し定着するので、植物の育成効果が期待できる。
【００３１】
なお、図６及び図７に示す実施例の護岸構造では、法面Ｇの法肩部に配置されるコンクリートブロック１Ａび法尻部に配置されるコンクリートブロック１Ｂは、側面視で「へ」の字状に形成して配置されている。該両コンクリートブロック１Ａ，１Ｂは同一形状のものであり、法肩部に配置されるときと法尻部に配置されるときとで、それぞれ１８０度裏返し及び向きを変えて配置するようにして用いる。このように、法面Ｇの法肩部と法尻部に「へ」の字状のコンクリートブロック１Ａ，１Ｂを配置すると、法肩部及び法尻部の強度が増大して流水等に強い護岸５が形成される。
【００３２】
なお、本発明は、本発明の精神を逸脱しない限り種々の改変をなすことができ、そして、本発明が該改変されたものにも及ぶことは当然である。
【産業上の利用可能性】
【００３３】
流水等の高水流に対する安定性が不可欠で、かつ構築後の環境保全をより良く実現し得る河川護岸工法、天端保護工法及び高水敷保護工法等への用途にも適用できる。
【符号の説明】
【００３４】
１    コンクリートブロック
１ａ  側壁
１ｂ  側壁
１ｃ  凹部
１ｄ  凸部
１ｅ  下面
１ｆ  下面凸部
２    連結鉄筋
３    植生孔
４    吊り込み鉄筋
５    護岸
６    目地部
７    多孔質繊維
７Ａ  多孔質繊維層
８    コンクリート
８Ａ  コンクリート層
Ｓ    自然石
Ｇ    法面
【図１】
2010189969.tif 000003
【図２】
2010189969.tif 000004
【図３】
2010189969.tif 000005
【図４】
2010189969.tif 000006
【図５】
2010189969.tif 000007
【図６】
2010189969.tif 000008
【図７】
2010189969.tif 000009
【図８】
2010189969.tif 000010